(57)【要約】【課題】直管形蛍光ランプを用いた照明器具において、蛍光ランプの交換や清掃作業等を行う際の作業手間を大幅に解消する。【解決手段】直管形蛍光ランプ８を用いた照明器具において、器具本体５の開口面に並列配置された複数のルーバー１０，１０…を取り付けるためのルーバー取付け構造であって、前記器具本体５の側縁部に対してバー状のルーバー支持材１１を揺動自在に軸支するとともに、前記ルーバー支持材１１に対して部材長手方向に所定の間隔で複数のルーバー１０，１０…を取着し、ルーバー１０，１０…群を前記ルーバー支持材１１の軸部１１ａを回転中心として開閉可能とする。この際、前記ルーバー支持材１１は、前記器具本体５の側縁部に断面略円形状のポケット溝６ｆを形成し、前記ルーバー支持材１１に断面略円形状の軸部１１ａを形成し、前記軸部１１ａとポケット溝６ｆとを互いに嵌合させることにより揺動可能に軸支する。【選択図】  図９
2004172031.tif 000002
【特許請求の範囲】
【請求項１】
直管形蛍光ランプを用いた照明器具において、器具本体の開口面に並列配置された複数のルーバーを取り付けるためのルーバー取付け構造であって、
前記器具本体の側縁部に対してバー状のルーバー支持材を揺動自在に軸支するとともに、前記ルーバー支持材に対して部材長手方向に所定の間隔で複数のルーバーを取着し、ルーバー群を前記ルーバー支持材の軸支部を回転中心として開閉可能としたことを特徴とする照明器具のルーバー取付け構造。
【請求項２】
前記ルーバー支持材の両端部にそれぞれ、該ルーバー支持材をガイドとしてスライド可能とされるとともに、外方側に突出する施錠片を備えたルーバー止め部材を設け、ルーバーの閉鎖時に前記ルーバー止め部材を外方側にスライドさせ、前記施錠片を器具本体の側板に係止させることにより、前記ルーバーを器具本体の開口面位置に保持するようにした請求項１記載の照明器具のルーバー取付け構造。
【請求項３】
前記器具本体の側縁部に断面略円形状のポケット溝及び軸部の内の一方を形成し、前記ルーバー支持材に断面略円形状の軸部及びポケット溝の内の他方を形成し、前記軸部とポケット溝とを互いに嵌合させることにより、前記ルーバー支持材を揺動可能に軸支するようにした請求項１、２いずれかに記載の照明器具のルーバー取付け構造。
【発明の詳細な説明】
【０００１】
【発明の属する技術分野】
本発明は、直管形蛍光ランプを用いた照明器具において、照度を確保しながらもグレア（眩しさ）や視覚の低下を防ぐために、器具本体の開口面に設けられるルーバーの取付け構造に関する。
【０００２】
【従来の技術】
従来より、蛍光ランプなどを用いた照明器具においては、器具本体の開口面部分に所定間隔で並列配置されたルーバーを設け、不快なランプの眩しさを低減するとともに、蛍光ランプを直視した際の視覚低下を防ぐようにしている。前記ルーバーは一般的に、多数のルーバーが支持材に取着されユニット化され、このルーバーユニットの所要箇所にビス孔を設けておき、前記器具本体に対し固定ビスにより着脱自在に取り付けられている（例えば、下記特許文献１参照）。
【０００３】
【特許文献１】
特開平１１−６６９３４号公報
【０００４】
【発明が解決しようとする課題】
しかしながら、前記蛍光ランプの交換や照明器具の清掃を行う場合には、ねじ回し等の工具により前記固定ネジの螺合を解除して前記ルーバーユニットを取り外した後、ランプ交換や清掃が終わったならば、再度固定ネジによりルーバーユニットを取り付ける必要があり、作業が非常に煩雑であった。
【０００５】
そこで本発明の主たる課題は、蛍光ランプの交換や清掃作業等を行う際の作業手間を大幅に解消できるようにした照明器具のルーバー取付け構造を提供することにある。
【０００６】
【課題を解決するための手段】
前記課題を解決するために請求項１に係る本発明として、直管形蛍光ランプを用いた照明器具において、器具本体の開口面に並列配置された複数のルーバーを取り付けるためのルーバー取付け構造であって、
前記器具本体の側縁部に対してバー状のルーバー支持材を揺動自在に軸支するとともに、前記ルーバー支持材に対して部材長手方向に所定の間隔で複数のルーバーを取着し、ルーバー群を前記ルーバー支持材の軸支部を回転中心として開閉可能としたことを特徴とする照明器具のルーバー取付け構造が提供される。
【０００７】
上記請求項１記載の本発明においては、各ルーバーを支持するルーバー支持材を器具本体（通常はセード）の側縁部に対して揺動可能に軸支し、ルーバー群を前記ルーバー支持材の軸支部を回転中心として一体的に開閉可能とした。従って、蛍光ランプの交換や清掃作業等を行う際には、前記ルーバー支持材を揺動させてルーバー群を開状態とするだけで良いため、従来のビス止め方式に比べて作業手間が大幅に解消されるようになる。
【０００８】
請求項２に係る本発明として、前記ルーバー支持材の両端部にそれぞれ、該ルーバー支持材をガイドとしてスライド可能とされるとともに、外方側に突出する施錠片を備えたルーバー止め部材を設け、ルーバーの閉鎖時に前記ルーバー止め部材を外方側にスライドさせ、前記施錠片を器具本体の側板に係止させることにより、前記ルーバーを器具本体の開口面位置に保持するようにした請求項１記載の照明器具のルーバー取付け構造が提供される。
【０００９】
前記ルーバーを器具本体の開口面に保持する構造としては、前記ルーバー支持材の端部にそれぞれスライド可能なルーバー止め部材を設け、このルーバー止め部材に形成された施錠片を器具本体の側板に係止させることにより、落下止めとする構造が望ましい。このような構造であれば、ルーバー止め部材は目立たず光を遮ることもない。また、ルーバーの開閉操作は、ルーバー支持材にスライド可能に設けた前記ルーバー止め部材のスライド操作によりワンタッチで行うことができる。
【００１０】
請求項３に係る本発明として、前記器具本体の側縁部に断面略円形状のポケット溝及び軸部の内の一方を形成し、前記ルーバー支持材に断面略円形状の軸部及びポケット溝の内の他方を形成し、前記軸部とポケット溝とを互いに嵌合させることにより、前記ルーバー支持材を揺動可能に軸支するようにした請求項１、２いずれかに記載の照明器具のルーバー取付け構造が提供される。上記ヒンジ構造を採用する場合には、別途ヒンジ部材を必要とすることなく、型材等の製造時に予め、例えば後述の実施形態の欄で示すように、器具本体側（セード６）にポケット溝６ｆを形成し、ルーバー支持材１１に軸部１１ａを形成しておくだけで、前記ルーバー支持材１１を揺動可能に取り付けることが可能となる。
【００１１】
【発明の実施の形態】
以下、本発明の実施の形態について図面を参照しながら詳述する。
図１は本発明に係る照明器具１の書架への取付け状態を示す側面図、図２は照明器具１の底面図（図１のＩＩ−ＩＩ線矢視図）、図３は中間部断面図、図４は端部断面図である。
【００１２】
図示される照明器具１は、書店や図書館などにおいて縦列方向に並んで配置される書架２，２…の前面部分を照らすために、前記書架２の上面部分に設置される照明器具の例である。従って、前記照明器具１は、図２に示されるように、書架２、２…に沿って縦列的に配置されている。
【００１３】
前記照明器具１は、書架２の上面にビス等によって固定される取付けベース３と、一端が前記取付けベースに連結された支持アーム４と、この支持アーム４の先端に取り付けられた器具本体５とから構成されている。前記器具本体５は、詳細には図２及び図３に示されるように、蛍光ランプのカバー材となるセード６と、このセード６の両端面に夫々取り付けられた側板１２，１２と、側板１２の内側位置に夫々設けられたソケット７と、ソケット７，７間に着脱自在に取り付けられた直管形蛍光ランプ８と、前記直管形蛍光ランプ８から裏面側に拡散する可視光を表面側に反射させるアルミ反射板９と、前記セード６の開口面部にセード６の長手方向に沿って所定間隔で並列配置された複数のルーバー１０，１０…とから主に構成されている。
【００１４】
前記セード６は、本例ではアルミ押出し型材が用いられている。詳細には図３に示されるように、下面側が開口とされる断面略台形状の部材とされ、両端部にはそれぞれ樹脂製の側板１２、１２が設けられ小口面が封鎖されている。内側上面壁にはソケット支持部６ａが設けられ、前記ソケット７，７がビス等により固定されている。また、前記内側上面壁の中間と内側背面壁とに夫々断面Ｌ字状の係止片６ｂ、６ｃが形成され、これら係止片６ｂ、６ｃに跨って安定器カバー１３が設けられ、その内部に安定器（図示せず）が内設されている。一方、セード６の外側背面壁には対向する係止片６ｄ、６ｅが設けられ、図１に示されるように、支持アーム４のセード６側連結部材４ａが前記係止片６ｂ、６ｃに嵌合した状態でビス固定されるようになっている。更に、背面壁の下端には内方側に開口を臨ませて、後述するルーバー支持材１１を揺動自在に軸支するために断面略円形状のポケット溝６ｆが形成されている。
【００１５】
前記器具本体５、５の隣接部位では、通り芯に沿って精度良くセード６，６を縦列配置するために、図５に示されるように、側板１２，１２を連結するジョイントピン１５を設けるようにしているとともに、図４に示されるように、図６に示す連結金具１４を背面壁の係止溝６ｇ部にかつセード６，６間に跨るように嵌入し、ビス孔１４ａ、１４ａからビスを螺入し、隣接するセード６，６間の通り芯を合わせるようにしている。
【００１６】
他方、前記セード６の開口面に設けられるルーバー１０，１０…は、図３及び図７に示されるように、バー状のルーバー支持材１１に対して部材長手方向に所定間隔で取着され、前記ルーバー支持材１１の背面側に形成された断面略円形状の軸部１１ａを前記セード６のポケット溝６ｆに嵌入することにより、前記ルーバー支持材１１が揺動自在に支持され、前記ルーバー群１０，１０…が前記ルーバー支持材１１の軸部１１ａを回転中心として一体的に開閉可能となっている。なお、前記ルーバー１０のルーバー支持材１１に対する取付け構造は、前記ルーバー１０の背面側に逆Ｕ字状の溝を形成するように係止片１０ａを一体的に形成しておき、ルーバー支持材１１のフランジ上端部に嵌入させることにより取着されている。
【００１７】
前記ルーバー１０をセード６の開口面に保持するには、図７に示されるように、前記ルーバー支持材１１の両端部にそれぞれ、該ルーバー支持材１１をガイドとしてスライド可能とされるとともに、外方側に突出する施錠片１６ｄを備えたルーバー止め部材１６を設け、ルーバー１０の閉鎖時に前記ルーバー止め部材１６を外方側にスライドさせ、前記施錠片１６ｄを側板１２に係止させるようにする。
【００１８】
具体的に詳述すると、前記ルーバー止め部材１６は、図８に示されるように、前記ルーバー支持材１１を抱持するスライド支持部１６ａと、水平方向に突出する軸部１６ｂと、この軸部１６ｂから下方側に突出するストッパー片１６ｃと、前記軸部１６ｂから水平方向に突出する施錠片１６ｄとからなる部材で、図４及び図７に示されるように、前記ルーバー支持材１１に対してスライド可能な状態で取り付けられ、ルーバー１０，１０…の閉鎖時に、前記ルーバー止め部材１６を外方側にスライドさせ、前記施錠片１６ｄを側板１２，１２の下側フランジ部１２ａに係止させることにより（図４参照）、前記ルーバー１０をセード６の開口面位置に保持するようにしている。なお、前記ストッパー片１６ｃは、スライド操作時に側板１２の下側フランジ部１２ａの側面に当接することにより、ルーバー支持材１１がこれ以上側板１２の内部に入り込まないように規制するためのものである。
【００１９】
蛍光ランプの交換やセード６内の清掃を行う場合には、前記ルーバー止め部材１６、１６を共に内方側にスライドさせて側板１２に対する係合を解き、図９に示されるように、ルーバー１０，１０…群を前記ルーバー支持材１１の軸支部１１ａを回転中心として揺動させるようにすれば良い。
【００２０】
（他の実施形態例）
（１）上記形態例では、直管形蛍光ランプ８に直交する方向に配置されたルーバー構造としたが、直管形蛍光ランプ８と同方向のルーバーを追加してもよい。
【００２１】
（２）上記形態例では、セード６の側縁部に断面略円形状のポケット溝６ｆを形成し、前記ルーバー支持材１１に断面略円形状の軸部１１ａを形成し、前記軸部１１ａとポケット溝６ｆとを互いに嵌合させることにより、前記ルーバー支持材１１を揺動可能に軸支するようにしたが、逆に前記ルーバー支持材１１側にポケット溝を形成し、前記セード６側に軸部を形成し両者を嵌合させるようにしてもよい。或いはヒンジ部材（蝶番）を設けることにより前記ルーバー支持材１１を揺動可能に支持することでもよい。
【００２２】
【発明の効果】
以上詳説のとおり本発明によれば、直管形蛍光ランプを用いた照明器具において、器具本体の開口面に並列配置される複数のルーバーをルーバー支持材を介して開閉可能に取り付けたため、蛍光ランプの交換や清掃作業等を行う際の作業手間を大幅に解消できるようになる。
【図面の簡単な説明】
【図１】本発明に係る照明器具１の書架への取付け状態を示す側面図である。
【図２】照明器具１の底面図（図１のＩＩ−ＩＩ線矢視図）である。
【図３】器具本体５の中間部断面図（図２のＩＩＩ−ＩＩＩ線矢視図）である。
【図４】器具本体５の端部断面図（図２のＩＶ−ＩＶ線矢視図）である。
【図５】セード隣接部を示す腰部拡大図である。
【図６】連結金具１４を示す、（Ａ）は正面図、（Ｂ）は側面図である。
【図７】ルーバー１０，１０…の支持構造を示す平面図である。
【図８】ルーバー止め部材１６を示す、（Ａ）は平面図、（Ｂ）は側面図、（Ｃ）は正面図である。
【図９】ルーバー１０の開閉要領図である。
【符号の説明】
１…照明器具、２…書架、３…取付けベース、４…支持アーム、５…器具本体、６…セード、６ｆ…ポケット溝、７…ソケット、８…直管形蛍光ランプ、９…反射板、１０…ルーバー、１１…ルーバー支持材、１１ａ…軸支部
【図１】
2004172031.tif 000003
【図２】
2004172031.tif 000004
【図３】
2004172031.tif 000005
【図４】
2004172031.tif 000006
【図５】
2004172031.tif 000007
【図６】
2004172031.tif 000008
【図７】
2004172031.tif 000009
【図８】
2004172031.tif 000010
【図９】
2004172031.tif 000011